(57)【要約】【課題】本体上面の吹出口から吹出された風を前面へ導く送風路を設けても機器本体が大型化せず、本体を傾けずに片手で安定して持ち運ぶことができる空気調和機を提供する。【解決手段】筐体１０の上面１８の一部を水平方向に一定の深さと幅を持たせて堀り下げ、その底部に吹出口２２を設けた溝部１２と、筐体１０の上面１８の中央を通り、溝部１２の上を跨いで交差させ、筐体１０の上面位置に沿って水平方向に固定配置された取っ手部１３と、取っ手部１３が溝部１２の上を跨いで上方に開口した第１および第２開口部１４，１５と、吹出口２２の上方にある第１開口部１４を取っ手部１３と連結して覆い、吹出口２２から吹出された空気を第２開口部１５へ送風する送風板１６と、取っ手部１３と送風板１６との連結部に段差部１７を設け、吹出口２２から吹出された空気は、送風板１６に当たり段差部１７で一旦押し下げられ、第２開口部１５から水平方向に吹出される。【選択図】        図２
2013032857.tif 000002
【特許請求の範囲】
【請求項１】
空気の吸込口と第１吹出口とを有し、前記吸込口と前記第１吹出口とを結ぶ空気通路を内部に有する筐体と、
前記筐体の上面の一部を堀り下げて形成し、その底部に前記第１吹出口が設けられた溝部と、
前記筐体の上面の中央を通り、前記溝部の上を跨ぐように前記筐体の上面位置に沿って水平方向に固定配置された取っ手部と、
前記取っ手部が前記溝部の上を跨ぐことで上方に開口された第１および第２開口部と、
前記第１吹出口の上方にある前記第１開口部を前記取っ手部と接して覆い、前記第１吹出口から吹出された前記空気を前記溝部を伝って前記第２開口部へ送風する送風板と、
を備え、
前記取っ手部の下部側に段差部を設け、
前記第１吹出口から上方へ吹出された前記空気は、前記送風板に沿って前記第２開口部へ向かって流れ、前記段差部で一旦押し下げられた後、前記第２開口部から水平方向に吹出すことを特徴とする空気調和機。
【請求項２】
前記空気通路内の上流側には、空気の脱臭処理を行う脱臭処理部が配置され、
前記空気通路内の前記脱臭処理部の下流側には、マイナスイオンを発生させるイオン発生部とオゾンを発生させるオゾン発生部の少なくとも一方が配置され、
前記第１吹出口から前記第２開口部までの間に、前記オゾン発生部で発生させたオゾンと前記イオン発生部で発生させたマイナスイオンの少なくとも一方を吹出す第２吹出口を備え、
前記第１吹出口から吹出された前記脱臭処理部で脱臭処理された空気が前記第２吹出口から吹出されるオゾンあるいはマイナスイオンを含む空気を取り込んで、前記第２開口部から水平方向に吹出すことを特徴とする請求項１に記載の空気調和機。
【請求項３】
前記取っ手部は、前記溝部の上を跨ぎ、前記溝部の両側から中央部に向かうに従って前記取っ手部の厚さを徐々に減少させるテーパー部が設けられ、
前記テーパー部により前記第２開口部の開口面積を狭めることを特徴とする請求項１または２に記載の空気調和機。
【発明の詳細な説明】
【技術分野】
【０００１】
本発明は、本体上面に吹出口が設けられ、吹出口から吹出される風を所定方向に導く送風路を備えた空気調和機に関する。
【背景技術】
【０００２】
従来、空気調和機本体の上面に吹出口が設けられていて、その上に吹出口から吹き出された風を所定方向に導く送風路が配置され、その送風路の一部が本体を持ち運ぶ際の取っ手として兼用されている構造を備えた空気調和機が開示されている（特許文献１参照）。
【０００３】
また、空気清浄機の上面の排気口（吹出口）の上方に案内部（送風路）を設けることで前方への送風を可能とし、本体ケースの背面に把手となる凹部（取っ手部）を形成した空気清浄機が開示されている（特許文献２参照）。
【先行技術文献】
【特許文献】
【０００４】
【特許文献１】特開２００６−１１８８５６号公報
【特許文献２】特開２００３−６５５７２号公報
【発明の概要】
【発明が解決しようとする課題】
【０００５】
しかしながら、上記の特許文献１にあっては、空気調和機本体の上面に吹出口が設けられ、その吹出口から吹き出された風を導くための送風路を吹出口のさらに上部に設けることにより、開口部が正面を向くように配置されている。そして、その送風路の一部は、空気調和機本体を持ち運ぶ際の取っ手と兼用されている。このため、特許文献１は、取っ手を兼ねた開口部の高さ分だけ機器本体が大型化するという問題があった。
【０００６】
また、上記の特許文献２にあっては、空気清浄機の本体ケースの背面側に把手となる凹部（取っ手部）が形成されていて、凹部に手を入れることで、空気清浄機の本体を片手で持ち運ぶことができる。しかしながら、把手となる凹部（取っ手部）は、空気清浄機本体を中心位置で支えることができない（凹部が浅い）ため、持ち運ぶ際に空気清浄機本体が傾いてしまうと、本体内に水等がある場合は水漏れが生じるという問題があった。また、特許文献２にあっては、特許文献１と同様に、空気清浄機の上面の排気口（吹出口）の上方に案内部（送風路）が設けられていて、前方側への送風が可能なように、排気口（吹出口）の開口部が正面を向いているため、開口部の高さ分だけ機器本体が大型化するという問題があった。
【０００７】
本発明は、上記に鑑みてなされたものであって、本体の上面に吹出口が設けられ、その吹出口から吹出された風を導く送風路を設けても機器本体が大型化することがなく、また本体を傾けずに片手で安定して持ち運ぶことが可能な空気調和機を提供することを目的とする。
【課題を解決するための手段】
【０００８】
上述した課題を解決し、目的を達成するために、本発明の空気調和機は、空気の吸込口と第１吹出口とを有し、前記吸込口と前記第１吹出口とを結ぶ空気通路を内部に有する筐体と、前記筐体の上面の一部を堀り下げて形成し、その底部に前記第１吹出口が設けられた溝部と、前記筐体の上面の中央を通り、前記溝部の上を跨ぐように前記筐体の上面位置に沿って水平方向に固定配置された取っ手部と、前記取っ手部が前記溝部の上を跨ぐことで上方に開口された第１および第２開口部と、前記第１吹出口の上方にある前記第１開口部を前記取っ手部と接して覆い、前記第１吹出口から吹出された前記空気を前記溝部を伝って前記第２開口部へ送風する送風板と、を備え、前記取っ手部の下部側に段差部を設け、前記第１吹出口から上方へ吹出された前記空気は、前記送風板に沿って前記第２開口部へ向かって流れ、前記段差部で一旦押し下げられた後、前記第２開口部から水平方向に吹出すことを特徴とする。
【０００９】
また、本発明の空気調和機において、前記空気通路内の上流側には、空気の脱臭処理を行う脱臭処理部が配置され、前記空気通路内の前記脱臭処理部の下流側には、マイナスイオンを発生させるイオン発生部とオゾンを発生させるオゾン発生部の少なくとも一方が配置され、前記第１吹出口から前記第２開口部までの間に、前記オゾン発生部で発生させたオゾンと前記イオン発生部で発生させたマイナスイオンの少なくとも一方を吹出す第２吹出口を備え、前記第１吹出口から吹出された前記脱臭処理部で脱臭処理された空気が前記第２吹出口から吹出されるオゾンあるいはマイナスイオンを含む空気を取り込んで、前記第２開口部から水平方向に吹出すことが好ましい。
【００１０】
また、本発明の空気調和機において、前記取っ手部は、前記溝部の上を跨ぎ、前記溝部の両側から中央部に向かうに従って前記取っ手部の厚さを徐々に減少させるテーパー部が設けられ、前記テーパー部により前記第２開口部の開口面積を狭めることが好ましい。
【発明の効果】
【００１１】
本発明によれば、筐体を小型化しつつ、吹出口から吹き出された風を前方側に送ることが可能であって、本体を片手で安定して持ち運ぶことができる空気調和機が得られるという効果を奏する。
【図面の簡単な説明】
【００１２】
【図１】図１は、本発明の実施例にかかる空気調和機の外観斜視図である。
【図２】図２は、図１のＷ−Ｗ線断面図である。
【図３】図３は、図２に示す空気調和機の吹出口付近の風の流れを示す模式図である。
【図４】図４は、図２の矢印Ｘ方向からの矢指図である。
【発明を実施するための形態】
【００１３】
以下に、本発明にかかる空気調和機の実施例を図面に基づいて詳細に説明する。なお、以下の説明により本発明が限定されるものではない。また、以下の説明による構成要素には、当業者が置換可能かつ容易なもの、或いは実質的に同一のもの、いわゆる均等の範囲のものが含まれる。また、この実施例に記載された複数の変形例は、当業者自明の範囲内にて任意に組み合わせが可能である。
【実施例１】
【００１４】
まず、空気調和機の外観の構成について説明する。図１は、本発明の実施例にかかる空気調和機の外観斜視図であり、図２は、図１のＷ−Ｗ線断面図であり、図３は、図２に示す空気調和機の吹出口付近の風の流れを示す模式図である。
【００１５】
空気調和機１００は、気化フィルタを用いて空気を加湿する加湿機能と、触媒フィルタを用いて空気の脱臭処理を行う脱臭機能の両方を備えている。この空気調和機１００は、図１および図２に示すように、合成樹脂パネルで成形された直方体状の筐体１０を有している。筐体１０の背面には、図２に示すように、空気の吸込口２１が形成されている。また、空気調和機１００の上面１８には、ユーザが空気調和機１００を運転操作するための各種ボタンやランプ等が配置された操作パネル２３が配されている。
【００１６】
本実施例１にかかる空気調和機１００は、図２に示すように、筐体１０に空気の吸込口２１と、第１吹出口としての吹出口２２とが設けられ、その吸込口２１と吹出口２２とを結ぶ空気通路２４が内部に形成されている。
【００１７】
本実施例１にかかる空気調和機１００の特徴的な構成は、筐体１０の上面１８の一部に水平方向に所定の深さと幅とを持たせて堀り下げられた溝部１２が形成され、この溝部１２の底部には、上述した吹出口２２が設けられている。そして、取っ手部１３は、棒状の取っ手が筐体１０の上面１８の中央を通っており、溝部１２の上を跨ぐように筐体１０の上面１８に沿って水平方向に固定配置されている。
【００１８】
また、取っ手部１３は、溝部１２の上を跨ぐことで、上方に開口した第１開口部１４と第２開口部１５とを形成している。そして、吹出口２２の上方にある第１開口部１４は、取っ手部１３と接する送風板１６によって覆われている。この送風板１６は、一端が回動可能に支持され、第１開口部１４を開閉できるように構成されている。図２では、送風板１６を閉じた状態が示されている。もう一方の第２開口部１５は、溝部１２の斜面を緩やかに形成した開口部斜面１９を備えている。そして、本実施例１の特徴的な構成としては、取っ手部１３と送風板１６とが接する取っ手部１３の下部側に段差部１７を設けている。このため、吹出口２２から上方へ吹出された空気は、送風板１６に沿って前記第２開口部１５に向かって流れ、段差部１７の作用によって一旦押し下げられた後、第２開口部１５の緩やかな開口部斜面１９に沿って吹出されることから、吹出し方向が上方ではなく、水平方向に吹出すことができる。
【００１９】
このことを、空気調和機の吹出口付近の風の流れを示す図３を用いて説明する。つまり、本実施例１にかかる空気調和機１００は、図２に示す吸込口２１の白抜き矢印Ａから吸い込まれた室内の空気が空気通路２４内を通り、図３に示す白抜き矢印Ｂ、Ｃ、Ｄ、Ｅ、Ｆの経路で流れて、第２開口部１５から吹出される。この第２開口部１５は、上方を向いた開口部であるので、空気の流れとしては第２開口部１５を出る際に、上向きに吹出される。しかし、本実施例１にかかる空気調和機１００は、溝部１２の送風路の途中に取っ手部１３が配置されているため、送風される空気が取っ手部１３の下を潜ってから、第２開口部１５から吹出される。この空気の流れは、図３に示すように、送風板１６と取っ手部１３とその下部側に設けられた段差部１７とによって溝部１２を蛇行しながら流れ、第２開口部１５に設けられた緩やかな開口部斜面１９に沿って登り、そのまま吹出されるため、上面１８の操作パネル２３の上を水平方向に吹出すことが可能となる（白抜き矢印Ｆ参照）。
【００２０】
このように、本実施例１の空気調和機１００は、図２に示すように、吸込口２１が筐体１０の上面１８の一部を水平方向に所定の深さと幅を持たせて堀り下げた溝部１２の底部に設けられているため、送風板１６の位置を上面１８の位置とほぼ同じ高さに保ちつつ、溝部１２の中を水平方向に流れる送風路を作り出すことが可能となり、機器の大きさを小型化することができる。
【００２１】
また、本実施例１の空気調和機１００は、堀り下げられた溝部１２の深さを利用して、取っ手部１３を上面１８の中央に配置し、空気調和機１００を持ち上げる際に、手を溝部１２の中に入れて取っ手部１３を握ることが可能となるため、筐体を小型化しつつ、片手で安定して持ち運ぶことができる。特に、手を溝部１２に入れる第２開口部１５側は、斜面の傾斜を緩やかにした開口部斜面１９で構成されているため、より一層手が入れ易くなるという効果が得られる。
【００２２】
さらに、本実施例１の空気調和機１００は、図２示すように、送風板１６を閉じたときに取っ手部１３には送風板１６と接する部分よりも下部側に段差部１７が設けられているため、送風板１６が設けられていても取っ手部１３を握る際により一層握り易くなるという利点がある。
【実施例２】
【００２３】
次に、実施例２にかかる空気調和機１００の構成を図２および図３を用いて説明する。図２に示す空気調和機１００は、筐体１０の内部に吸込口２１から吹出口２２までを結ぶ空気通路２４が形成されている。
【００２４】
この空気通路２４の途中に設けられた送風機２０は、ファンモータ２０ａとシロッコファンなどのファン２０ｂで構成されており、ファンモータ２０ａがファン２０ｂを回すことによって、吸込口２１から外部空気が機器内へ導入される（白抜き矢印Ａ参照）。
【００２５】
導入された空気は、既存の脱臭器等で使用されているプレフィルタ７０と集塵フィルタ７１を通過する間に、除塵される。そして、集塵フィルタ７１の風下側には、脱臭ユニット４０が配置されている。この脱臭ユニット４０は、触媒フィルタ４１を用いて脱臭処理を行うと共に、ヒータユニット４６により触媒フィルタ４１を定期的に加熱することで、触媒に付着した臭い成分の分解を促進し、触媒フィルタ４１を繰り返し再生できるようになっている。脱臭ユニット４０は、触媒フィルタ４１およびヒータユニット４６を両側から挟むように、通気性を有する一対の板状断熱材４２が配置されて構成されている。
【００２６】
脱臭ユニット４０のさらに風下側には、水を吸水して湿潤した状態で通過する空気に湿度を与える気化フィルタを含む加湿ユニット３０が配置されている。加湿ユニット３０で加湿された空気は、送風機２０のファン２０ｂによって空気通路２４を白抜き矢印ＢおよびＣ方向に送られ（図３参照）、さらに白抜き矢印Ｄ、Ｅ、Ｆのように、吹出口２２、および低濃度オゾン吹出口７８を通って、第２開口部１５から吐出される。
【００２７】
また、実施例２の空気調和機１００は、図２および図３に示すように、オゾン発生ユニット７３を備えている。送風機２０により空気通路２４内を流通する空気は、白抜き矢印Ｂから白抜き矢印Ｃが分岐してオゾン発生ユニット７３内へ流入する。オゾン発生ユニット７３内へ取り込まれた空気は、水銀ランプなどのＵＶ（紫外線）ランプ７４で照射されると、オゾンが発生する。このオゾンは、加湿ユニット３０の気化フィルタの他、空気中の除菌や脱臭を行うことができる。このオゾン発生ユニット７３で発生した残留オゾンは、酸化チタンなどのオゾン分解触媒７７により分解され、低濃度オゾン吹出口７８から外へ放出される（白抜き矢印Ｅ参照）。
【００２８】
さらに、実施例２の空気調和機１００は、図２および図３に示すように、マイナスイオンを発生するイオナイザ７９がここでは空気通路２４内に配置されている。イオナイザ７９は、針状の電極を備えており、電極に例えば数ｋＶの高電圧を印加すると、電極の先端でコロナ放電が生じ、マイナスイオンとオゾンを発生させる。イオナイザ７９から発生したマイナスイオンは、同じくイオナイザ７９やオゾン発生ユニット７３から発生したオゾンと反応して、強い酸化力を有するＯＨラジカルを生成する。
【００２９】
実施例２の空気調和機１００においては、上記実施例１と同様に、脱臭ユニット４０で脱臭された空気は、空気通路２４を通って吹出口２２から吹出されると、送風板１６に沿って第２開口部１５へ向かって流れ、段差部１７で一旦押し下げられた後、溝部１２を伝って第２開口部１５から吹き出される一連の空気の流れが形成される。この空気は、イオナイザ７９が空気通路２４内に配置されているため、マイナスイオンを含んだ脱臭された空気となる。また、上記オゾン発生ユニット７３で発生したオゾンは、低濃度オゾン吹出口７８から外へ放出される際に（白抜き矢印Ｅ参照）、上記した脱臭空気の流れ（白抜き矢印Ｄ参照）に取り込まれ、第２開口部１５から水平方向に吹出される。ここで、上記した低濃度オゾン吹出口７８は、図３に示すように、吹出口２２の隣接位置から第２開口部１５付近までの幅を持っている。このため、図３の取っ手部１３の位置よりも吹出口２２に近い低濃度オゾン吹出口７８から放出されるオゾンは、吹出口２２から吹出される脱臭空気の流れに取り込まれ（白抜き矢印ＤおよびＥ参照）、第２開口部１５へ送られる。また、図３の取っ手部１３の下から第２開口部１５寄りに設けられた低濃度オゾン吹出口７８から放出されるオゾンは、第２開口部１５に近いため、そのまま上方へ放出される可能性がある。しかし、この低濃度オゾン吹出口７８から放出されたオゾンは、吹出口２２から吹出される脱臭空気の流れがあるため、これに抑えられて取り込まれ、第２開口部１５から水平方向に吹出される（白抜き矢印Ｄ、Ｅ、Ｆ参照）。
【００３０】
このように、実施例２の空気調和機１００は、マイナスイオンおよび低濃度オゾンを含む脱臭空気を空気調和機の前方側（水平方向）に吹出すことができるので、床面付近のイオン濃度やオゾン濃度を上げることが可能となり、床に沈降するダニ、花粉、ペット由来のアレルゲン等を効果的に不活性化することができる。
【実施例３】
【００３１】
次に、実施例３にかかる空気調和機１００は、図２の矢印Ｘ方向から見た図４に示すように、空気調和機１００の上面１８の中央に、溝部１２の上を跨ぐように溝部１２の両側から中央部に向かうに従って取っ手部１３の厚さを徐々に減少させるテーパー部１３ａ，１３ｂが形成されている。このテーパー部１３ａ，１３ｂは、テーパーの傾きやテーパーの形状を変えて形成することができ、これにより、取っ手部１３の持ち手部分の幅Ｇの長さを変えることができる。持ち手部分の幅Ｇの長さは、人の手で持つことを想定している。この実施例３では、取っ手部１３の持ち手部分の幅Ｇを１４０ｍｍとしているが、一例であってこれに限定されない。
【００３２】
また、取っ手部１３のテーパー部１３ａ，１３ｂは、その形状を変えることによって、図２に示す、第２開口部１５の開口面積を狭めたり、広げたりする調整が可能となる。この第２開口部１５の開口面積を狭めると吹出口２２から吹出される風速が上がり、開口面積を広げると吹出口２２から吹出される風速を下げることができる。
【００３３】
なお、上記実施例１〜３においては、一般的な空気調和機１００として説明したが、具体的には、空気清浄機、脱臭機、加湿器、および除湿器等に好適に適用することができる。
【産業上の利用可能性】
【００３４】
以上のように、本発明にかかる空気調和機は、本体を大型化することなく、片手でも安定して持ち運ぶことのできる空気調和機に有用であり、特に、本体上面に設けられた吹出口から吹出された空気を本体の前方側に送風することができる空気調和機に適している。
【符号の説明】
【００３５】
１００  空気調和機
１０  筐体
１２  溝部
１３  取っ手部
１３ａ，１３ｂ  テーパー部
１４  第１開口部
１５  第２開口部
１６  送風板
１７  段差部
１８  上面
１９  開口部斜面
２０  送風機
２０ａ  ファンモータ
２０ｂ  ファン
２１  吸込口
２２  吹出口
２３  操作パネル
２４  空気通路
３０  加湿ユニット
４０  脱臭ユニット
４１  触媒フィルタ
４２  板状断熱材
４６  ヒータユニット
７０  プレフィルタ
７１  集塵フィルタ
７３  オゾン発生ユニット
７４  ＵＶランプ
７７  オゾン分解触媒
７８  低濃度オゾン吹出口
７９  イオナイザ
【図１】
2013032857.tif 000003
【図２】
2013032857.tif 000004
【図３】
2013032857.tif 000005
【図４】
2013032857.tif 000006